(57)【要約】【課題】  既存のデジタル放送システム利用した決済処理システムにおいて、新規の決済手段を該システムへ追加する場合、決済処理システムへの変更負荷が大きくなるという課題があった。【解決手段】  カード識別情報を記憶する記憶手段を有するＩＣカードと、前記カード識別情報を読み出す読出手段と、前記カード識別情報及び前記ＩＣカードを用いて購入する商品の金額情報を送信する送信手段とを有する端末と、前記カード識別情報及び金額情報を受信する受信手段と、前記カード識別情報及び前記金額情報に基づいて決済情報を作成する決済手段と、前記決済情報に基づいて決済要求を行なう決済情報通信手段とを有する決済サーバと、前記決済要求を受ける決済情報通信手段と、前記決済要求に基づいて決済処理する決済処理手段とを有する決済処理サーバと、を備えることで上記課題を解決する。【選択図】  図１
2005148780.tif 000002
【特許請求の範囲】
【請求項１】
ＩＣカード、端末、決済サーバ及び決済処理サーバを有してなる決済処理システムにおいて、
前記ＩＣカードは、決済に用いるカード識別情報を記憶する記憶手段を有し、
前記端末は、前記カード識別情報を前記ＩＣカードから読み出す読出手段と、前記カード識別情報及び前記ＩＣカードを用いて購入する商品の金額情報を前記決済サーバに送信する送信手段と、を有し、
前記決済サーバは、前記カード識別情報及び前記金額情報を受信する受信手段と、前記カード識別情報及び前記金額情報に基づいて決済情報を作成する決済手段と、前記決済情報に基づいて前記決済処理サーバに対して決済要求を行なう決済情報通信手段と、を有し、
前記決済処理サーバは、前記決済要求を受ける決済情報通信手段と、前記決済要求に基づいて決済処理する決済処理手段と、を有することを特徴とする決済処理システム。
【請求項２】
決済に用いるカード識別情報を記憶する記憶手段を有するＩＣカードと、
前記カード識別情報を読み出す読出手段と、前記カード識別情報及び前記ＩＣカードを用いて購入する商品の金額情報を送信する送信手段と、を有する端末と、
前記カード識別情報及び金額情報を受信する受信手段と、前記カード識別情報及び前記金額情報に基づいて決済情報を作成する決済手段と、前記決済情報に基づいて決済要求を行なう決済情報通信手段と、を有する決済サーバと、
前記決済要求を受ける決済情報通信手段と、前記決済要求に基づいて決済処理する決済処理手段と、を有する決済処理サーバと、
を備えたことを特徴とする決済処理システム。
【請求項３】
ＩＣカード、端末、注文管理サーバ、決済サーバ及び決済処理サーバを有してなる決済処理システムにおいて、
前記ＩＣカードは、決済に用いるカード識別情報を記憶する記憶手段を有し、
前記端末は、前記カード識別情報を前記ＩＣカードから読み出す読出手段と、商品の注文を前記注文管理サーバに対してする商品注文手段と、前記カード識別情報及び前記商品の金額情報を前記注文管理サーバ送信する送信手段と、を有し、
前記注文管理サーバは、前記商品の注文を受け付ける注文受付手段と、前記カード識別情報及び金額情報を前記端末から受信する受信手段と、前記カード識別情報及び金額情報を前記決済サーバに送信する送信手段と、を有し、
前記決済サーバは前記カード識別情報及び前記金額情報を受信する受信手段と、前記カード識別情報及び前記金額情報に基づいて決済情報を作成する決済手段と、前記決済情報に基づいて前記決済処理サーバに対して決済要求を行なう決済情報通信手段と、を有し、
前記決済処理サーバは、前記決済情報に基づく前記決済要求を受ける決済情報通信手段と、前記決済要求に基づいて決済処理する決済処理手段と、を有することを特徴とする決済処理システム。
【請求項４】
請求項３記載の決済処理システムにおいて、
前記決済サーバは前記金額情報を受信し、その後前記カード識別情報を受信し、前記金額情報と前記カード識別情報に基づいて前記決済情報を作成し、前記決済処理サーバに対して決済要求を行なうことを特徴とする決済処理システム。
【請求項５】
ＩＣカード、端末、注文管理サーバ、コンテンツ提供サーバ、決済サーバ及び決済処理サーバを有してなる決済処理システムにおいて、
前記ＩＣカードは、決済に用いるカード識別情報を記憶する記憶手段を有し、
前記端末は、前記カード識別情報を前記ＩＣカードから読み出す読出手段と、前記コンテンツ提供サーバからコンテンツを受信する受信手段と、前記コンテンツに基づいて商品の注文を前記注文管理サーバに対してする商品注文手段と、前記カード識別情報及び前記商品の金額情報を前記注文管理サーバに送信する送信手段と、を有し、
前記注文管理サーバは、前記商品の注文を受け付ける注文受付手段と、前記カード識別情報及び前記金額情報を受信する受信手段と、前記商品の注文の決済確認情報をコンテンツ提供サーバに送信し、前記金額情報を前記決済サーバに送信し、決済開始の指示を出す決済指示手段と、を有し、
前記コンテンツ提供サーバは、商品注文コンテンツ及び前記決済確認情報をもとに作成した決済確認コンテンツを前記端末に送信する送信手段を有し、
前記決済サーバは、前記カード識別情報及び前記金額情報を受信する受信手段と、前記カード識別情報及び前記金額情報に基づいて決済情報を作成する決済手段と、前記決済情報に基づいて前記決済処理サーバに対して決済要求を行なう決済情報通信手段と、を有し、
前記決済処理サーバは、前記決済要求を受ける決済情報通信手段と、前記決済要求に基づいて決済処理する決済処理手段と、を有し、
前記コンテンツ提供サーバが前記商品注文コンテンツを前記端末に送信し、前記注文管理サーバが前記端末から注文を受け付け、該注文に基づいた決済確認信号を該コンテンツ提供サーバに送信し、該コンテンツ提供サーバは、該決済確認信号を元に作成した決済確認コンテンツを前記端末に送信し、該決済確認コンテンツにより注文した商品を確認し、該確認を示す確認情報を該端末から該注文管理サーバに送信すると、該注文管理サーバが前記決済サーバに決済開始の指示を送ることを特徴とする決済処理システム。
【請求項６】
決済に用いるカード識別情報を読み出す読出手段と、前記カード識別情報及び商品の金額情報を送信する送信手段とを有する端末と、
前記カード識別情報及び前記金額情報を前記端末より受信する受信手段と、前記カード識別情報及び前記金額情報に基づいて決済情報を作成する決済手段と、前記決済情報に基づいて決済要求を行なう決済情報通信手段とを有する決済サーバと、
前記決済要求を受ける決済情報通信手段と、前記決済要求に基づいて決済処理する決済処理手段とを有する決済処理サーバと、
を備える決済処理システムに利用されるＩＣカードであって、
前記カード識別情報を記憶する記憶手段を有することを特徴とするＩＣカード。
【請求項７】
決済に用いるカード識別情報を記憶する記憶手段を有するＩＣカードと、
前記カード識別情報及び前記ＩＣカードを用いて購入する商品の金額情報を受信する受信手段と、前記カード識別情報及び前記金額情報に基づいて決済情報を作成する決済手段と、前記決済情報に基づいて決済要求を行なう決済情報通信手段とを有する決済サーバと、
前記決済要求を受ける決済情報通信手段と、前記決済要求に基づいて決済処理する決済処理手段とを有する決済処理サーバと、
を備える決済処理システムに利用される端末であって、
前記カード識別情報を読み出す読出手段と、前記カード識別情報及び金額情報を前記決済サーバに送信する送信手段と、を有することを特徴とする端末。
【請求項８】
決済に用いるカード識別情報を記憶する記憶手段を有するＩＣカードと、
前記カード識別情報を読み出す読出手段と、前記カード識別情報及び前記ＩＣカードを用いて購入する商品の金額情報を送信する送信手段とを有する端末と、前記カード識別情報及び金額情報より作成される決済情報に基づく決済要求を受ける決済情報通信手段と、前記決済要求に基づいて決済処理する決済処理手段とを有する決済処理サーバと、
を備える決済処理システムに利用される決済サーバであって、
前記カード識別情報及び金額情報を端末より受信する受信手段と、前記カード識別情報及び前記金額情報に基づいて決済情報を作成する決済手段と、前記決済情報に基づいて前記決済処理サーバに対して決済要求を行なう決済情報通信手段とを有することを特徴とする決済サーバ。
【請求項９】
決済に用いるカード識別情報を記憶する記憶手段を有するＩＣカードと、
前記カード識別情報を読み出す読出手段と、前記カード識別情報及び前記ＩＣカードを用いて購入する商品の金額情報を前記決済サーバに送信する送信手段とを有する端末と、
前記カード識別情報及び前記金額情報を受信する受信手段と、前記カード識別情報及び前記金額情報に基づいて決済情報を作成する決済手段と、前記決済情報に基づいて決済要求を行なう決済情報通信手段とを有する決済サーバと、
を備える決済処理システムに利用される決済処理サーバであって、
前記決済サーバより前記決済要求を受ける決済情報通信手段と、前記決済要求に基づいて決済処理する決済処理手段とを有することを特徴とする決済処理サーバ。
【請求項１０】
ＩＣカード、端末、決済サーバ及び決済処理サーバを有してなる決済処理システムにおいて、
前記ＩＣカードは、決済取消を行なうのに必要なカード識別情報を記憶する記憶手段を有し、
前記端末は、前記カード識別情報を前記ＩＣカードから読み出す読出手段と、前記カード識別情報及び前記ＩＣカードを用いて購入取消する商品の金額情報を前記決済サーバに送信する送信手段と、を有し、
前記決済サーバは前記カード識別情報及び前記金額情報を受信する受信手段と、前記カード識別情報及び前記金額情報に基づいて決済取消情報を作成する決済手段と、前記決済取消情報に基づいて前記決済処理サーバに対して決済取消要求を行なう決済情報通信手段と、を有し、
前記決済処理サーバは、前記決済取消情報に基づく前記決済取消要求を受ける決済情報通信手段と、前記決済取消要求に基づいて決済処理する決済処理手段と、を有することを特徴とする決済処理システム。
【請求項１１】
ＩＣカード、端末、決済サーバ及び決済処理サーバを有してなる決済処理システムにおける決済処理方法であって、
前記端末が前記ＩＣカードのカード識別情報を前記ＩＣカードから読み出し、前記カード識別情報及び前記ＩＣカードを用いて購入する商品の金額情報を前記決済サーバに送信し、
前記決済サーバが、前記カード識別情報及び前記金額情報を受信し、前記カード識別情報及び前記金額情報に基づいて決済情報を作成し、前記決済情報に基づいて前記決済処理サーバに対して決済要求を行ない、
前記決済処理サーバが、前記決済要求を受け、前記決済要求に基づいて決済処理することを特徴とする決済処理方法。
【請求項１２】
ＩＣカード、端末、決済サーバ及び決済処理サーバを有してなる決済処理システムにおける決済方法であって、
前記決済サーバが、前記カード識別情報及び前記金額情報を前記端末から受信し、前記カード識別情報及び前記金額情報に基づいて決済情報を作成し、前記決済情報に基づいて前記決済処理サーバに対して決済要求を行なう決済方法。
【請求項１３】
ＩＣカード、端末、決済サーバ及び決済処理サーバを有してなる決済処理システムにおける決済処理方法であって、
前記決済サーバが、前記ＩＣカードのカード識別情報及び前記前記ＩＣカードを用いて購入する商品の金額情報を前記端末より受信し、前記カード識別情報及び前記金額情報に基づいて決済情報を作成し、前記決済情報に基づいて前記決済処理サーバに対して決済要求を行ない、
前記決済処理サーバが、前記決済要求を受け、前記決済要求に基づいて決済処理することを特徴とする決済処理方法。
【請求項１４】
ＩＣカード、端末、決済サーバ及び決済処理サーバを有してなる決済処理システムにおける決済処理方法であって、
前記端末が前記ＩＣカードのカード識別情報を前記ＩＣカードから読み出し、前記カード識別情報及び前記ＩＣカードを用いて購入する商品の金額情報を前記決済サーバに送信し、
前記決済サーバが、前記カード識別情報及び前記金額情報を受信し、前記カード識別情報及び前記金額情報に基づいて決済情報を作成し、前記決済情報に基づいて前記決済処理サーバに対して決済要求を行ない、
前記決済処理サーバが、前記決済要求を受け、前記決済要求に基づいて決済処理することを特徴とする決済処理方法。
【請求項１５】
端末及び決済サーバを有してなる決済処理システムにおいて、
前記端末は、ＥＭＶのＬＥＶＥＬ１で要求されている機能を実行する手段を有し、
前記決済サーバは、ＥＭＶのＬＥＶＥＬ２で要求されている機能を実行する手段を有する事を特徴とする決済処理システム。
【請求項１６】
端末及び決済サーバを有してなる決済処理システムにおける決済方法において、
前記端末は、ＥＭＶのＬＥＶＥＬ１で要求されている機能を実行し、
前記決済サーバは、ＥＭＶのＬＥＶＥＬ２で要求されている機能を実行する事を特徴とする決済方法。
【請求項１７】
端末及び決済サーバを有してなる決済処理システムにおいて、
前記端末は、ＥＭＶのＬＥＶＥＬ１で要求されているカード識別情報を読み出す読出手段と、を有し、
前記決済サーバは、ＥＭＶのＬＥＶＥＬ２で要求されている決済情報を作成する決済情報作成手段を有する事を特徴とする決済処理システム。
【請求項１８】
端末及び決済サーバを有してなる決済処理システムにおける決済方法において、
前記端末は、ＥＭＶのＬＥＶＥＬ１で要求されているカード識別情報を読み出し、
前記決済サーバは、ＥＭＶのＬＥＶＥＬ２で要求されている決済情報を作成する事を特徴とする決済処理システム。
【発明の詳細な説明】
【技術分野】
【０００１】
本発明は、決済処理システム及び決済方法に係り、例えば、ネットワークを経由しＩＣカードを利用した決済処理システム及び決済方法に関する。
【背景技術】
【０００２】
従来、例えば、ＣＳ（通信衛星）放送、ＢＳ（放送衛星）放送、ＣＡＴＶ（ケーブルテレビ）、地上波等のデジタル放送は、セットトップボックス（以下、ＳＴＢと呼ぶ。）などの専用チューナーやチューナー内蔵型のＴＶ端末などの受信機を用いて視聴する。また、これらのＳＴＢやＴＶ端末は、通信回線を用い外部のサーバとの間で双方向にデータのやり取りも可能となっている。これにより、オンラインでのＴＶショッピング等の双方向通信を利用したサービスを提供する方法やそのシステムの実現が可能である。例えば、オンラインでのＴＶショッピング等の双方向通信を利用して、顧客が定期的に購入している商品の注文・宅配を行なうサービスを提供する方法やそのシステムがある。（例えば、特許文献１参照）
また、オンラインでのショッピングにかかわり、ネットワークを介して各種の端末から容易かつ安全にオンライン決済を行なうために、クレジットカード・デビットカードなどの多種多様な決済手段に対応できるネットワークを介した決済処理方法及び決済処理システムを提供するものがある。（例えば、特許文献２参照）
【０００３】
【特許文献１】特開２００２−２４５７８号公報
【特許文献２】特開２００２−１６３６１号公報
【発明の開示】
【発明が解決しようとする課題】
【０００４】
上記背景技術では、特開２００２−２４５７８号は、オンラインでのＴＶショッピング等の双方向通信を利用した顧客が定期的に購入している商品の注文・宅配を行なうサービスを提供する方法やそのシステムにおいて、商品の発注処理や受注処理、決済処理、利用者の個人認証処理、販売商品の画像等の商品情報制作処理を１つのサーバで行っている。その為、例えば、サーバが対応している既存の決済手段がクレジットカードのみだった場合に、新たにデビットカードも決済手段として対応する事となった時に、サーバは新たな決済手段に対応した決済アプリケーションを入手する必要がる。しかし、サーバは決済に関らない処理に関するアプリケーションも搭載しており、サーバに新規決済アプリケーションを搭載する事は、メンテナンスの手間や改造のコストを考慮すると困難である。
【０００５】
また、特開２００２−１６３６１号は、ネットワークを介した電子商取引（ＥＣ：ｅｌｅｃｔｒｏｎｉｃ  ｃｏｍｍｅｒｃｅ）に好適な決済処理方法及び決済処理システムであるが、該システムの場合、利用者が所有する端末は、予め決められた決済手段にのみ対応した決済アプリケーションを持っている必要がある。その為、新たに使用できる決済手段を増やすには、端末が新たな決済手段に対応した決済アプリケーションを入手する必要がある。
【０００６】
本発明は、デジタル放送を利用した決済処理システムにかかわり、従来のＣＳ、ＢＳ、ＣＡＴＶ、地上波等のデジタル放送を行なうコンテンツ提供サーバと、決済処理を行なう決済サーバと、発注処理を行なう発注管理サーバと、利用者からの商品購入の希望に対し、注文を受け、注文内容に応じて、決済サーバや発注管理サーバに指示を送る注文管理サーバとを別に設け、また、利用者が所有する端末には決済処理を行なう決済アプリケーションではなく、ＩＣカードと通信を行なうＩＣカード通信アプリケーションのみを搭載する事で既存のデジタル放送システムへの変更負荷を軽減したシステムとして、ネットワークを経由しＩＣカードを利用した決済処理システム及び決済方法の実現を目的とする。
【課題を解決するための手段】
【０００７】
前記目的は、特許請求の範囲記載の発明によって達成される。
【発明の効果】
【０００８】
本発明によれば、使い勝手の良い決済処理システムを提供することができる。
【発明を実施するための最良の形態】
【０００９】
以下、本発明の実施例について図を用いて詳細に説明する。
【実施例１】
【００１０】
本発明の第１の実施例について詳細に説明する。
【００１１】
図１は、本発明の実施例に係わるデジタル放送を利用した決済処理システム全体の構成を示す図である。本実施形態に係わるデジタル放送を利用した決済処理システムは、放送局が放送番組やＴＶショッピング等で使用される販売商品の画像等の商品情報（以下、コンテンツという）を、ケーブルを経由して提供し、利用者は専用チューナーであるＳＴＢを用い受信するシステム構成において、ネットワークを経由しＩＣカードを利用した決済方法を提供する構成を備える。本実施形態では、前記放送局としてＣＡＴＶ会社を、また、前記決済方法としてＩＣカードクレジットによる決済とデビット決済による決済を可能とするシステムにおいて、利用者がＩＣカードクレジットによる決済を行なった場合を例示して説明する。しかし、これは本発明の説明の為の１つの例示であり、ＣＳ、ＢＳ、地上波等のデジタル放送を用途とした他の様々な構成でも、また、クレジット決済以外のデビット決済、課金決済及び電子マネー決済等の他の様々な決済方法でも、本発明が実施できる事はいうまでもない。
【００１２】
図１において、１００はＣＡＴＶ会社がコンテンツを提供するコンテンツ提供サーバ、１０１は注文管理サーバ、１０２はネットワークを経由しＩＣカードを利用した決済処理を行なう決済サーバ、１０３は発注管理サーバ、１０４は顧客ＤＢ、１０５は発注ＤＢ、２００は利用者がＣＡＴＶを利用するためにコンテンツを受信する為の専用チューナーであるＳＴＢ、２０１は利用者が所持するＩＣカード、２０２はリモコン、２０３は携帯端末、３００ａはオンラインでのクレジット決済を可能とするオンライン決済サーバ、３００ｂはオンラインでのデビット決済を可能とするオンライン決済サーバ、３０１ａ及び３０１ｂはクレジットカードブランドごとの決済処理サーバ、３０１ｃ及び３０１ｄはデビット決済を行なえる各銀行の決済処理サーバ、４００ａは利用者が注文した商品を販売している販売会社が管理する受注サーバ、４００ｂはＴＶショッピング等で使用される販売商品の画像等の商品情報をＣＡＴＶで放送するコンテンツとして作成し提供するコンテンツ提供会社が管理する受注サーバ、５００はデジタル放送を提供する為の専用ケーブル、５０１は通信ネットワーク（例えば電話ネットワーク、専用ネットワーク、インターネットなど）をそれぞれ指す。
【００１３】
コンテンツ提供サーバは専用ケーブル５０１を通じて、利用者の所持するＳＴＢと通信可能となっている。また、注文管理サーバは、通信ネットワーク５０１を通じて利用者の所持するＳＴＢと通信可能となっている。
【００１４】
利用者は、実際には複数存在する。各利用者は、決済に利用できるＩＣカード２０１を少なくとも１枚所持している、また、必ずしもそうでなければならないわけではないが、通常はＳＴＢ２００ごとにそのＳＴＢ用のリモコン２０２、または利用者ごとにその人用の携帯端末２０３が存在する。携帯端末として、例えば、ＰＤＡ、携帯電話機、その他の携帯式情報処理装置、本システム専用の情報処理装置など、様々な形態の情報処理装置を採用する事ができる。
【００１５】
ＳＴＢ２００、リモコン２０２及び携帯端末２０３はＩＣカードＲ／Ｗ手段を有しており利用者が所持するＩＣカード２０１から決済に必要な情報を読み出したり、ＩＣカード２０１に決済に必要な情報を書き込んだりする事ができる。また、ＳＴＢ２００、リモコン２０２及び携帯端末２０３は、狭域無線通信５０３を通じ、情報のやり取りを可能とする。
【００１６】
図２は、本実施形態におけるＳＴＢ２００とＩＣカード２０１のみ利用した場合のそれぞれの内部構成を示した図である。
【００１７】
ＳＴＢ２００は、ＳＴＢ２００の統括制御を行なうとともに各種判定、演算及び制御処理を行なう演算処理部６００ａと、キー入力部６０１ａと、コンテンツを受信する為のコンテンツ受信部６０２と映像・音声デコーダ部６０３と、狭域無線通信５０３を通じ外部機器と直接無線通信を行なう狭域無線通信部６０４ａと、記憶部６０５と、記憶部６０５内にＳＴＢのシステムプログラム６０６と、ＩＣカードとの通信を可能とするＩＣカード通信処理プログラム６０７と、ＣＡＴＶにおいて有料コンテンツを利用するために必要なＩＣカード２０１にアクセスするＩＣカードＲ／Ｗ６０８ａと、決済処理を行なう為に必要なＩＣカード２０１にアクセスするＩＣカードＲ／Ｗ６０８ｂと、通信ネットワーク５０１を通じ外部機器と情報の送受信を行なうデータ通信部６１４と、暗号処理部６２０を備えている。
【００１８】
また、ＩＣカード２０１は、接触インターフェースである接続部６０９ａ及び６０９ｂと、演算処理部６１０ａ及び６１０ｂと、記憶部６１１ａ及び６１１ｂとを備える。また、ＣＡＴＶにおいて有料コンテンツを利用するために必要なＩＣカード２０１には、利用者の有料コンテンツ利用情報を管理する個人情報６１２と、決済処理を行なう為に必要なＩＣカード２０１には、決済処理に必要となるカード識別情報６１３を備える。
【００１９】
図３は、本実施形態におけるＳＴＢ２００とＩＣカード２０１とＳＴＢを操作する為に用いるリモコン２０２を利用した場合のそれぞれの内部構成を示した図である。
【００２０】
本構成は、決済処理を行なう為に必要なＩＣカード２０１を、ＳＴＢを操作する為に用いるリモコン２０２の内部に所持する。よって、ＳＴＢ２００の内部構成は、決済処理を行なう為に必要なＩＣカード２０１とこのＩＣカードにアクセスする為のＩＣカードＲ／Ｗ６０８ｂを除き図２と同様の構成となる。
【００２１】
また、決済処理を行なう為に必要なＩＣカード２０１の内部構成も図２と同様の構成となる。
【００２２】
また、リモコン２０２は、演算処理部６００ｂと、キー入力部６０１ｂと、狭域無線通信５０３を通じ外部機器と直接無線通信を行なう狭域無線通信部６０４ｂと、記憶部６０５ｂと、記憶部６０５内にＩＣカードとの通信を可能とするＩＣカード通信処理プログラム６０７と、決済処理を行なう為に必要なＩＣカード２０１にアクセスするＩＣカードＲ／Ｗ６０８ｃとを備える。
【００２３】
図４は、本実施形態におけるＳＴＢ２００とＩＣカード２０１と利用者が所持する携帯端末２０３を利用した場合のそれぞれの内部構成を示した図である。
【００２４】
本構成は、決済処理を行なう為に必要なＩＣカード２０１を、利用者が所持する携帯端末２０３の内部に所持する。よって、ＳＴＢ２００の内部構成は、決済処理を行なう為に必要なＩＣカード２０１とこのＩＣカードにアクセスする為のＩＣカードＲ／Ｗ６０８ｂを除き図２と同様の構成となる。
【００２５】
また、決済処理を行なう為に必要なＩＣカード２０１の内部構成も図２と同様の構成となる。
【００２６】
また、携帯端末２０３は、演算処理部６００ｃと、キー入力部６０１ｃと、狭域無線通信５０３を通じ外部機器と直接無線通信を行なう狭域無線通信部６０４ｃと、決済処理を行なう為に必要なＩＣカード２０１にアクセスするＩＣカードＲ／Ｗ６０８ｄと、基地局と無線通信を行なう無線部６１５と、表示部６１６とスピーカ及びマイクが接続される音声処理部６１７と記憶部６１８と記憶部６１８内に携帯端末システムプログラム６１９と、ＩＣカードとの通信を可能とするＩＣカード通信処理プログラム６０７とを備える。
【００２７】
図５は、本実施形態における決済サーバ１０２の内部構成を示した図である。決済サーバ１０２は、外部機器と通信ネットワークを通じ情報の送受信を行ない、例えば決済情報の通信手段を行なうネットワーク通信部７００と、決済サーバ１０２の統括制御を行なうとともに各種判定、演算及び制御処理を行なう演算処理部７０１、記憶部７０２と、記憶部７０２内の決済サーバ１０２のシステムプログラム７０３と、ＩＣカードを利用した決済処理を可能とする決済情報作成プログラム７０４と、ＣＡＴＶ会社の管理する他の装置と情報の送受信を行なう通信部７０５とを備える。
【００２８】
図６は、本実施形態における注文管理サーバ１０１の内部構成を示した図である。注文管理サーバ１０１の統括制御を行なうとともに各種判定、演算及び制御処理を行なう演算処理部７１０と、ＣＡＴＶ会社の管理する他の装置と情報の送受信を行なう通信部７１１と、前記受信機と情報の送受信を行なうデータ通信部７１２と、記憶部７１３と、記憶部７１３内の注文管理サーバ１０１のシステムプログラム７１４と、ＩＣカードを利用した決済処理を指示する決済指示プログラム７１５とを備える。
【００２９】
図７は、ＣＡＴＶを利用するためＣＡＴＶ会社と契約している利用者を顧客情報として管理している顧客ＤＢの例を示す図である。その顧客情報には、例えば、その顧客に固有のＩＤを割振った顧客ＩＤ８００と、顧客の氏名８０１と、顧客のメールアドレス、電話番号、ＦＡＸ番号又は住所等の顧客連絡先８０２と、顧客が決済可能な決済手段８０３などが含まれる。
【００３０】
図８は利用者からの注文商品の発注処理が完了した注文商品等を発注情報として管理しておく発注ＤＢの例を示す図である。その発注情報には、例えば、顧客ＩＤ８００と、決済ごとに固有のＩＤを割振った取引ＮＯ９００と、顧客が購入する商品に固有のＩＤを割振った商品番号９０１と、顧客が購入する商品の単価９０２と、顧客が購入する商品の数量９０３と、顧客が購入する商品の決済金額９０４と、顧客が希望する決済種別９０５と、月ごとの累計決済金額９０６を備える。
【００３１】
図９は注文管理サーバ１０１とＳＴＢ２００との間でやり取りされる電文構成、注文管理サーバ１０１とコンテンツ提供サーバ１００との間でやり取りされる電文構成、及び注文管理サーバ１０１と決済サーバ１０２との間でやり取りされる電文構成の一具体例を示す図である。
【００３２】
図９に示すように、かかる電文としては、商品選択電文１０００と、決済確認電文１００３と、確認情報電文１００５と、決済開始電文１００７と、決済完了電文１００９と、完了確認電文１０１１と、発注電文１０１３と、発注完了電文１０１５とがあり、それぞれ電文識別符号もしくは電文識別符号に情報データを付加した構成をなしている。
【００３３】
商品選択電文１０００は、ＳＴＢ２００から通信ネットワーク５０１を介し注文管理サーバ１０１に対し利用者が購入を希望している商品の商品情報を送る電文であって、商品選択電文１０００であることを示す電文識別符号１００１に、ＳＴＢに固有のＩＤが割振られている端末ＩＤ１００２と、利用者が購入を希望している商品の商品番号９０１と、商品の単価９０２と、商品の数量９０３と、購入する商品の合計金額となる決済金額９０４と、利用者が希望する決済種別９０５を付加した構成となっている。
【００３４】
決済確認電文１００３は、注文管理サーバ１０１からコンテンツ提供サーバ１００に対し利用者が購入を希望している商品の商品情報を送る電文であって、決済確認電文１００３であることを示す電文識別符号１００４に、ＳＴＢに固有のＩＤが割振られている端末ＩＤ１００２と、利用者が購入を希望している商品の商品番号９０１と、商品の単価９０２と、商品の数量９０３と、購入する商品の合計金額となる決済金額９０４と、利用者が希望する決済種別９０５を付加した構成となっている。
【００３５】
確認情報電文１００５は、ＳＴＢ２００から通信ネットワーク５０１を介し注文管理サーバ１０１に対し利用者が購入を確認した商品の商品情報を送る電文であって、確認情報電文１００５であることを示す電文識別符号１００６に、ＳＴＢに固有のＩＤが割振られている端末ＩＤ１００２と、利用者が購入を希望している商品の商品番号９０１と、商品の単価９０２と、商品の数量９０３と、購入する商品の合計金額となる決済金額９０４と、利用者が希望する決済種別９０５を付加した構成となっている。
【００３６】
決済開始電文１００７は、注文管理サーバ１０１から決済サーバ１０２に対し利用者が購入を確認した商品について決済開始を通知する電文であって、決済開始電文１００７であることを示す電文識別符号１００８に、ＳＴＢに固有のＩＤが割振られている端末ＩＤ１００２と、利用者が購入を希望している商品の商品番号９０１と、商品の単価９０２と、商品の数量９０３と、購入する商品の合計金額となる決済金額９０４と、利用者が希望する決済種別９０５を付加した構成となっている。
【００３７】
決済完了電文１００９は、決済サーバ１０２から注文管理サーバ１００に対し決済処理の完了を通知する電文であって、決済完了電文１００９であることを示す電文識別符号１０１０に、ＳＴＢに固有のＩＤが割振られている端末ＩＤ１００２を付加した構成となっている。
【００３８】
完了確認電文１０１１は、注文管理サーバ１０１からコンテンツ提供サーバ１００に対し決済処理の完了を通知する電文であって、完了確認電文１０１１であることを示す電文識別符号１０１２に、ＳＴＢに固有のＩＤが割振られている端末ＩＤ１００２と、決済処理ごとに固有のＩＤが割振られている取引ＮＯ９００と、利用者が購入を希望している商品の商品番号９０１と、商品の単価９０２と、商品の数量９０３と、購入する商品の合計金額となる決済金額９０４と、利用者が希望する決済種別９０５を付加した構成となっている。
【００３９】
発注電文１０１３は、注文管理サーバ１０１から発注管理サーバ１０３に対し決済処理完了後に発注処理の開始を通知する電文であって、発注電文１０１３であることを示す電文識別符号１０１４に、顧客ＩＤ８００と、決済処理ごとに固有のＩＤが割振られている取引ＮＯ９００と、利用者が購入を希望している商品の商品番号９０１と、商品の単価９０２と、商品の数量９０３と、購入する商品の合計金額となる決済金額９０４と、利用者が希望する決済種別９０５を付加した構成となっている。
【００４０】
発注完了電文１０１５は、発注管理サーバ１０３から注文管理サーバ１０１に対し発注処理の完了を通知する電文であって、発注完了電文１０１５であることを示す電文識別符号１０１７に、顧客ＩＤ８００を付加した構成となっている。
【００４１】
なお、商品選択電文１０００、決済確認電文１００３、確認情報電文１００５、決済開始電文１００７、及び完了確認電文１０１１では、商品番号９０１と、商品の単価９０２と、商品の数量９０３と、決済金額９０４と、決済種別９０５の全ての情報データを持つ必要ない。端末ＩＤ１００２に商品番号９０１を付加した構成とし、注文管理サーバ１０１において、商品番号９０１で対応付けされている商品情報を管理する商品情報ＤＢを備えても良い。前記商品情報として、例えば、商品の単価９０２と、商品の数量９０３と、決済金額９０４と、決済種別９０５とで構成される。ただし、前記商品情報ＤＢは、図示する事を省略する。
【００４２】
図１０は、決済サーバ１０２とＳＴＢ２００との間でやり取りされる電文構成の一具体例を示す図である。
【００４３】
図１０に示すようにかかる電文としては、ＩＣカード通信電文１１００と、ＩＣカード通信応答電文１１０３と、ＩＣカード通信プログラム起動電文１１０５と、起動完了電文１１０７とがあり、それぞれ電文識別符号に情報データを付加した構成をなしている。
【００４４】
ＩＣカード通信電文１１００は、決済サーバ１０２からＳＴＢ２００に対し、ＩＣカードとの通信処理に用いるコマンド電文を送る電文であって、ＩＣカード通信電文１１００であることを示す電文識別符号１１０１に、端末ＩＤ１００２と、ＩＣカードとの通信処理に用いるＩＣカード通信用コマンド１１０２を付加した構成となっている。
【００４５】
ＩＣカード通信応答電文１１０３は、ＳＴＢ２００から決済サーバ１０２に対し、ＩＣカードとの通信処理により応答のあったレスポンス電文を送る電文であって、ＩＣカード通信応答電文１１０３であることを示す電文識別符号１１０４に、端末ＩＤ１００２と、ＩＣカードとの通信処理によりＩＣカードより応答のあったＩＣカード通信用レスポンス１１０５を付加した構成となっている。
【００４６】
ＩＣカード通信プログラム起動電文１１０５は、ＩＣカード通信プログラムを備える端末に対して、ＩＣカード通信プログラムを起動する事を指示する電文であって、ＩＣカード通信プログラム起動電文１１０５であることを示す電文識別符号１１０６に、端末ＩＤ１００２を付加した構成となっている。
【００４７】
起動完了電文１１０７は、ＩＣカード通信プログラムを備える端末が、ＩＣカード通信プログラムの起動を完了した事を通知する電文であって、起動完了電文１１０７であることを示す電文識別符号１１０８に、端末ＩＤ１００２を付加した構成となっている。
【００４８】
次に本実施形態の動作を、図１１を用いて説明する。
【００４９】
図１１は、利用者がデジタル放送のＴＶショッピング番組からＳＴＢ２００を使用して購入希望の商品を選択した時、本実施例におけるシステムにおいて、どの様な順序で決済処理を行なうかを示すフロー図である。
【００５０】
なお、利用者が商品の購入を希望せずデジタル放送の番組のみを視聴する場合や、ＳＴＢ２００を使用して購入希望の商品を選択後に決済処理を中止する場合もあり、図１１に示すフローの途中のステップでも処理を終了する事ができる。しかしこの途中終了については、図示せず、説明も省略する。
【００５１】
まずステップＳ１２００では、専用ケーブル５００を介し、コンテンツ提供サーバ１００から各利用者が所持するＳＴＢ２００に対し所定の放送方法を用い、ＴＶショッピング番組で使用される販売商品の画像等の商品情報で構成されるコンテンツを送信する。
【００５２】
続いてステップＳ１２０１では、ＳＴＢ２００はこのコンテンツを受信し、ＴＶなどの所定の表示機器を用い、商品販売のコンテンツを表示する。本実施例ではＴＶを所定の表示機器として説明する。
【００５３】
ステップＳ１２０１では、コンテンツ提供サーバ１００より順次送信される商品販売のコンテンツを、利用者はＴＶを用い視聴する。そして利用者は、視聴しているＴＶショッピング番組から購入を希望する販売商品があった場合、ステップＳ１２０２に進む。
【００５４】
ステップＳ１２０２では、利用者がＳＴＢ２００に備わっているキー入力部６０１ａを用い、ＴＶ画面に購入を希望する販売商品を表示し、購入希望数量、決済種別を決める。この時、図１３に例示した画面を表示する。
【００５５】
ステップＳ１２０１では、図１３に示す画面において、利用者がＳＴＢ２００に備わっているキー入力部６０１ａを用い、「決定」を選択するとステップＳ１２０３に進む。
【００５６】
ステップＳ１２０３では、ＳＴＢ２００が商品選択電文１０００を作成し、データ通信部６１４から注文管理サーバ１０１へ送出する。この時、商品選択電文１０００に付加する情報データとして、商品番号９０１、単価９０２、数量９０３、決済金額９０４、決済種別９０５には、利用者が購入を希望した販売商品の該当データを付加する。
【００５７】
ステップＳ１２０３では、注文管理サーバ１０１が、ＳＴＢ２００からの商品選択電文１０００を受信し、ステップＳ１２０４へ進む。
【００５８】
ステップＳ１２０４では、注文管理サーバ１０１が決済確認電文１００３を作成し、ネットワーク通信部７００からコンテンツ提供サーバ１００へ送出する。決済確認電文１００３に付加する情報データは、商品選択電文１０００と同様のデータを付加する。
【００５９】
ステップＳ１２０４では、コンテンツ提供サーバ１００が注文管理サーバ１０１からの決済確認電文１００３を受信し、ステップＳ１２０５へ進む。
【００６０】
ステップＳ１２０５では、コンテンツ提供サーバ１００が、図１４に例示する決済確認画面を表示する為の所定のコンテンツ情報をＳＴＢ２００に対し送信する。
【００６１】
ステップＳ１２０５では、ＳＴＢ２００がコンテンツ提供サーバ１００からの決済確認画面を表示する為の所定のコンテンツ情報を受信した場合、ステップＳ１２０６へ進む。
【００６２】
ステップＳ１２０６では、ＳＴＢ２００はこのコンテンツを受信し、図１４に示す決済確認画面をＴＶ画面に表示する。その後、ステップＳ１２０７へ進む。
【００６３】
ステップＳ１２０７では、利用者が図１４に示す決済確認画面を見て、購入を希望している販売商品の内容を確認する。そして、利用者は確認した内容に間違いがない場合、図１４において、ＳＴＢ２００に備わっているキー入力部６０１ａを用い「注文する」を選択するとステップＳ１２０８に進む。
【００６４】
ステップＳ１２０８では、ＳＴＢ２００が確認情報電文１００５を作成し、データ通信部６１４から注文管理サーバ１０１へ送出する。この時、確認情報電文１００５に付加する情報データとして、商品番号９０１、単価９０２、数量９０３、決済金額９０４、決済種別９０５には、利用者が図１４に示す決済確認画面を見て確認した、利用者が購入を希望している販売商品の該当データを付加する。
【００６５】
また、ステップＳ１２０７では、利用者が決済を希望しない場合は、ＳＴＢ２００に備わっているキー入力部６０１ａを用い「取消す」を選択すると販売商品の購入に関する処理を中断する。ただし、本実施例では理解を容易にする為、決済確認画面において利用者が確認した購入を希望している販売商品の内容に間違いがあった場合に、「取消す」事しか出来ないが、このステップにおいて、利用者が購入を希望している販売商品の購入内容の訂正を行なえるステップを加えたとしてもよい。
【００６６】
ステップＳ１２０８では、注文管理サーバ１０１がＳＴＢ２００からの確認情報電文１００５を受信し、決済（１）へ進む。決済（１）は図１２において詳細に説明をする。決済（１）は、手順として、注文管理サーバ１０１から決済サーバ１０２に対し、決済開始電文１００７を送出する事で開始する。その後、ＩＣカード２０１、ＳＴＢ２００、決済サーバ１０２、オンライン決済サーバ３００ａを通じ決済処理１２１０が行われる。そして決済処理１２１０が完了後、注文管理サーバ１０１が決済サーバ１０２から決済完了電文１００９を受信する事で、決済（１）が終了する。そして、決済（１）が終了するとステップＳ１２１４へ進む。
【００６７】
ステップＳ１２１４では、注文管理サーバ１０１が完了確認電文１０１１を作成し、ネットワーク通信部７００からコンテンツ提供サーバ１００へ送出する。完了確認電文１０１１に付加する情報データは、確認情報電文１００５と同様のデータ付加し、決済処理１２１０で割振られた固有のＩＤを取引ＮＯ９００として付加する。
【００６８】
ステップＳ１２１４では、コンテンツ提供サーバ１００が注文管理サーバ１０１からの完了確認電文１０１１を受信し、ステップＳ１２１５へ進む。
【００６９】
ステップＳ１２１５では、コンテンツ提供サーバ１００が、図１５に例示する決済完了画面を表示する為の所定のコンテンツ情報をＳＴＢ２００に対し送信する。
【００７０】
ステップＳ１２１５では、ＳＴＢ２００がコンテンツ提供サーバ１００からの決済完了画面を表示する為の所定のコンテンツ情報を受信した場合、ステップＳ１２１６へ進む。
【００７１】
ステップＳ１２１０６では、ＳＴＢ２００はこのコンテンツを受信し、図１５に示す決済完了画面をＴＶ画面に表示する。その後、ステップＳ１２１７へ進む。
【００７２】
ステップＳ１２１７では、注文管理サーバ１０１が発注電文１０１３を作成し、ネットワーク通信部７００から発注管理サーバ１０３へ送出する。発注電文１０１３に付加する情報データは、完了確認電文１０１１と同様のデータ付加し、顧客ＤＢから端末ＩＤ１００２に対応する顧客ＩＤ８００を付加する。
【００７３】
ステップＳ１２１７では、発注管理サーバ１０３が注文管理サーバ１０１からの発注電文１０１３を受信し、ステップＳ１２１８へ進む。
【００７４】
ステップＳ１２１８では、発注管理サーバ１０３がネットワーク通信部７００を介し、利用者が購入を希望している商品を販売している販売会社が管理する受注サーバ４００ａに対し、所定の発注処理を行なう。
【００７５】
また、発注処理として、発注管理サーバ１０３はネットワーク通信部７００を介し、ＴＶショッピングのコンテンツを作成、提供しているコンテンツ提供会社が管理している受注サーバ４００ｂに対し所定の発注処理を行ない、その後コンテンツ提供会社が、利用者が購入を希望している商品を販売している販売会社が管理する受注サーバ４００ａに対し所定の発注処理を行なう方法でもよい。
【００７６】
ステップＳ１２１８では、発注管理サーバ１０３が発注処理が完了するとステップＳ１２１９へ進む。
【００７７】
ステップＳ１２１９では、発注管理サーバ１０３が発注完了電文１０１５を作成し、ネットワーク通信部７００から注文管理サーバ１０１へ送出する。
【００７８】
ステップＳ１２１９では、注文管理サーバ１０１が発注管理サーバ１０３からの発注完了電文１０１５を受信し、ステップＳ１２２０へ進む。
【００７９】
ステップＳ１２２０では、注文管理サーバが、決済処理及び発注処理の完了した発注情報の取引ＮＯ９００、商品番号９０１、単価９０２、数量９０３、決済金額９０４、決済種別９０５、月累計金額９０６を該当する顧客ＩＤ８００に対応させて、発注ＤＢに記憶させる。
【００８０】
そして、販売会社は、所定の発注処理により受注を受けた場合、利用者が購入を希望している商品を前記利用者に配送する。
【００８１】
図１２は、決済種別をＩＣカードクレジットを例にとり、ＩＣカード２０１、ＳＴＢ２００、決済サーバ１０２及びオンライン決済サーバ３００ａとの間で行なわれる決済処理１２１０の処理手順を示すフロー図である。
【００８２】
まず、図１１に示したステップＳ１２０９のタイミングで、注文管理サーバ１０１から決済サーバ１０２に対し、決済開始電文１００７を送出する。
【００８３】
ステップＳ１２０９では、決済サーバ１０２が注文管理サーバ１０１からの決済開始電文１００７を受信し、ステップＳ１３００へ進む。
【００８４】
ステップＳ１３００では、決済サーバ１０２が記憶部７０２に備える決済情報作成プログラム７０４を起動し、ステップＳ１３０１へ進む。
【００８５】
ステップＳ１３０１では、決済サーバ１０２からＳＴＢ２００に対し、ＩＣカード通信プログラム起動電文１１０５を送出する。
【００８６】
ステップＳ１３０１では、ＳＴＢ２００が決済サーバ１０２からのＩＣカード通信プログラム起動電文１１０５を受信し、ステップＳ１３０２へ進む。
【００８７】
ステップＳ１３０２では、ＳＴＢ２００が記憶部６０５に備えるＩＣカード通信処理プログラム６０７を起動し、ステップＳ１３０３へ進む。
【００８８】
ステップＳ１３０３では、ＳＴＢ２００から決済サーバ１０２に対し、起動完了電文１１０７を送出する。
【００８９】
ステップＳ１３０３では、決済サーバ１０２がＳＴＢ２００からの起動完了電文１１０７を受信し、決済処理１２１０へ進む。
【００９０】
決済処理１２１０では、所定の手順に従い、決済サーバ１０２が、ＩＣカード２０１との通信処理とオンライン決済サーバ３００ａとの通信処理とを、所定の順序で通信処理を繰り返し決済処理を行なう。所定の決済処理手順として、例えば、ＩＣカードクレジットの処理手順、電文項目などを規定したＥＭＶ（Ｅｕｒｏｐａｙ、Ｍａｓｔｅｒｃａｒｄ、Ｖｉｓａにより策定されたＩＣカードを利用したクレジット・デビット取引仕様）などがある。
【００９１】
以下の説明では、理解を容易とする為、決済処理としてＥＭＶを例として示す。
【００９２】
ＥＭＶ仕様において、端末の認定スキームとしてＴｙｐｅ  Ａｐｐｒｏｖａｌが存在し、前記Ｔｙｐｅ  Ａｐｐｒｏｖａｌは、Ｌｅｖｅｌ１とＬｅｖｅｌ２の２つに分かれている。本実施例にＥＭＶ仕様におけるＴｙｐｅ  Ａｐｐｒｏｖａｌを適用した場合、Ｌｅｖｅｌ１で規定されている機能を、図２におけるＳＴＢ２００が備え、Ｌｅｖｅｌ２で規定されている機能を、図５における決済サーバ１０２が備える。
【００９３】
ＥＭＶのＴｙｐｅ  Ａｐｐｒｏｖａｌ、Ｌｅｖｅｌ１とＬｅｖｅｌ２で要求されている機能は、「ＥＭＶ２０００  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」及び、「ＥＭＶ９６  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」に規定されている
ステップＳ１３０４では、決済サーバ１０１は、ＥＭＶの所定の電文項目をＩＣカード通信用コマンド１１０２として付加して、ＩＣカード通信電文１１００を作成し、ＳＴＢ２００へ送信する。
【００９４】
なお、前記ＩＣカード通信用コマンド１１０２として、例えば、ＡＰＤＵ（Ａｐｐｌｉｃａｔｉｏｎ  Ｐｒｏｔｏｃｏｌ  Ｄａｔａ  Ｕｎｉｔ）を用いてＩＣカード通信電文１１００を作成しても良い。
【００９５】
ステップＳ１３０４では、ＳＴＢ２００が、決済サーバ１０１からのＩＣカード通信処理電文１１００した場合、ステップＳ１３０５へ進む。
【００９６】
ステップＳ１３０５では、ＳＴＢ２００が、ＩＣカード通信電文１１００に付加してあったＩＣカード通信用コマンド１１０２をＩＣカード２０１に対し送信する。
【００９７】
ステップＳ１３０５では、ＩＣカード２０１が、ＳＴＢ２００からのＩＣカード通信用コマンドＳ１１０２を受信しステップＳ１３０６へ進む。
【００９８】
ステップＳ１３０６では、ＩＣカードが、受信したＩＣカード通信用コマンドＳ１１０２に対するＩＣカード通信用レスポンス１１０５を、ＳＴＢ２００に対し送信する。
【００９９】
ステップＳ１３０６では、ＳＴＢ２００が、ＩＣカード２０１からのＩＣカード通信用レスポンス１１０５を受信し、テップＳ１３０７へ進む。
【０１００】
ステップＳ１３０７では、ＳＴＢ２００が、受信したＩＣカード通信用レスポンス１１０５を付加したＩＣカード通信応答電文１１０３を作成し、決済サーバ１０２へ送信する。
【０１０１】
なお、前記ＩＣカード通信用レスポンス１１０５として、例えば、ＡＰＤＵ（Ａｐｐｌｉｃａｔｉｏｎ  Ｐｒｏｔｏｃｏｌ  Ｄａｔａ  Ｕｎｉｔ）を用いてＩＣカード通信応答電文１１０３を作成しても良い。
【０１０２】
また、決済の手順の中で、利用者に暗証番号を入力させる事が必要となる場合は、キー入力部６０１ａより暗証番号を入力し、暗号処理部６２０を用いて前記暗証番号データを暗号化する。そして、ステップＳ１３０７において、ＳＴＢ２００が、暗号化した前記該暗証番号データを付加したＩＣカード通信応答電文１１０３を作成し、決済サーバ１０２へ送信する。
【０１０３】
この時、暗号化せずに、キー入力部６０１ａより入力した暗証番号データを、ＩＣカード通信応答電文１１０３に付加して決済サーバ１０２へ送信しても良い。その場合、ＳＴＢ２００に、暗号処理部６２０を備えなくとも良い。
【０１０４】
さらに、ステップＳ１３０７では、決済サーバ１０１は受信したＩＣカード通信応答電文１１０３に付加してあったＩＣカード通信用レスポンス１１０５をＥＭＶの所定の応答電文項目として処理する。
【０１０５】
そして、ＥＭＶの所定の処理手順で、ステップＳ１３０４、ステップＳ１３０５、ステップＳ１３０６及びステップＳ１３０７を繰り返す。
【０１０６】
また、ステップＳ１３０８及びステップＳ１３０９では、ＥＭＶの所定の電文項目を用い決済センタとの通信処理を行ない、ＥＭＶの所定の処理手順で、ステップＳ１３０８及びステップＳ１３０９を繰り返す。
【０１０７】
ＥＭＶの所定の処理手順において、すべての処理が完了した場合、ＩＣカード決済処理１２１０は終了し、ステップＳ１２１３へ進む。
【０１０８】
ステップＳ１２１３では、決済サーバ１０２から決済完了電文１００９を注文管理サーバ１０１に対し送信する。
【０１０９】
なお、前記ＥＭＶの所定の処理手順として、例えば、ＩＣカードクレジットの標準規格である「ＥＭＶ２０００  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」または、「ＥＭＶ９６  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」に従い、前記仕様に記載のＡＰＤＵで扱われる処理、及び判断を前記決済サーバの有する前記決済処理に備える。
【０１１０】
また、前記ＥＭＶの所定の処理手順において、決済サーバ１０２の備える決済プログラム７０４からの要求により、利用者に暗証番号を入力させる事が必要となる場合は、図２に示すキー入力部６０１ａより暗証番号を入力する。その時、決済がオンラインの場合、決済サーバ１０２は決済処理サーバ３００ａ、または３００ｂへ前記暗証番号を送信する。また、オフラインの場合、決済サーバ１０２はＳＴＢ２００を経由しＩＣカードへ前記暗証番号を送信する。
【０１１１】
また、この時に、ＳＴＢ２００が備える暗号処理部６２０を用いて前記暗証番号を暗号化しても良い。
【０１１２】
また、この時にＳＴＢ２００が、暗号化せずに暗証番号を扱う手法で決済を行なっても良い。その場合、ＳＴＢ２００に暗号処理部６２０を備えなくとも良い。
【０１１３】
なお、以上の説明は、図２に例示するように決済処理に用いるＩＣカード２０１を、ＳＴＢ２００に内蔵する構成であったが、図３に例示するように決済処理に用いるＩＣカード２０１を、リモコン２０２に内蔵する構成であっても良い。この場合、図３に例示するようにＩＣカードとの通信処理を行なうＩＣカード通信処理プログラム６０７を、リモコン２０２が備える。また、上記構成での決済処理は、図１６に示すように、図１２においてＳＴＢ２００の行なっていた処理のステップＳ１３０２、ステップＳ１３０３、ステップＳ１３０５、ステップＳ１３０７をリモコン２０２が行なう。
【０１１４】
そして、ステップＳ１３０１では、ＳＴＢ２００は決済サーバ１０２から受信したＩＣカード通信プログラム起動電文１１０５を、狭域無線通信を介しリモコン２０２に対し送信する。
【０１１５】
ステップＳ１３０３では、リモコン２０２が起動完了電文１１０７を、狭域無線通信を介しＳＴＢ２００に対し送信する。
【０１１６】
ステップＳ１３０４では、決済サーバ１０２から受信したＩＣカード通信電文１１００を、狭域無線通信を介しリモコン２０２に対し送信する。
【０１１７】
ステップＳ１３０５では、リモコン２０２がＩＣカード通信電文１１０３を、狭域無線通信を介しＳＴＢ２００に対し送信する。
【０１１８】
また、図１０に例示した電文において、リモコン２０２とＳＴＢ２００との間で用いられる場合は、各電文共に端末ＩＤ１００２はリモコン２０２に固有に割振られたＩＤが設定される。
【０１１９】
また、決済手順において、決済サーバ１０２の備える決済プログラム７０４からの要求により、利用者に暗証番号を入力させる事が必要となる場合は、図３に示すキー入力部６０１ｂより暗証番号を入力する。その時、決済がオンラインの場合、決済サーバ１０２は決済処理サーバ３００ａ、または３００ｂへ前記暗証番号を送信する。また、オフラインの場合、決済サーバ１０２はＳＴＢ２００、及びリモコン２０２を経由しＩＣカードへ前記暗証番号を送信する。
【０１２０】
また、この時に、ＳＴＢ２００が備える暗号処理部６２０を用いて前記暗証番号を暗号化しても良い。
【０１２１】
また、この時にＳＴＢ２００が、暗号化せずに暗証番号を扱う手法で決済を行なっても良い。その場合、ＳＴＢ２００に暗号処理部６２０を備えなくとも良い。
【０１２２】
また、この第１の実施形態は、図４に例示するように決済処理に用いるＩＣカード２０１を、携帯端末２０３に内蔵する構成であっても良い。この場合も、図４に例示するように、ＩＣカードとの通信処理を行なうＩＣカード通信処理プログラム６０７を、携帯端末２０３が備える。上記構成での決済処理は、図１６に例示するリモコンでの処理と同様である。この場合、リモコン２０２が行なっていた処理を、携帯端末２０３が同様に行なう。
【０１２３】
また、決済手順において、決済サーバ１０２の備える決済プログラム７０４からの要求により、利用者に暗証番号を入力させる事が必要となる場合は、図４に示すキー入力部６０１ｃより暗証番号を入力する。その時、決済がオンラインの場合、決済サーバ１０２は決済処理サーバ３００ａ、または３００ｂへ前記暗証番号を送信する。また、オフラインの場合、決済サーバ１０２はＳＴＢ２００、及び携帯端末２０３を経由しＩＣカードへ前記暗証番号を送信する。
【０１２４】
また、この時に、ＳＴＢ２００が備える暗号処理部６２０を用いて前記暗証番号を暗号化しても良い。
【０１２５】
また、この時にＳＴＢ２００が、暗号化せずに暗証番号を扱う手法で決済を行なっても良い。その場合、ＳＴＢ２００に暗号処理部６２０を備えなくとも良い。
【実施例２】
【０１２６】
次に第２実施形態について説明する。
【０１２７】
図１７は、本発明の実施例２に係わるデジタル放送を利用した決済処理システム全体の構成を示す図である。
【０１２８】
図１７において、ＳＴＢ２００とコンテンツ提供サーバ１００との間で専用ケーブルを用いて双方向にデータのやり取りが可能となっている。
【０１２９】
また、従来の課金決済を可能とする為、コンテンツ提供サーバ１００に課金ＤＢ１０６を備えている。
【０１３０】
また、図１に対応する部分には同一の符号をつけて重複する説明を省略する。
【０１３１】
図１８は、利用者がデジタル放送のＴＶショッピング番組からＳＴＢ２００を使用して購入希望の商品を選択した場合、従来の課金処理も考慮し、本実施例におけるシステムにおいて、どの様な順序で決済処理を行なうかを示すフロー図である。
【０１３２】
まずステップＳ１２００からステップＳ１２０８までの手順は、図１１と同様の手順をなすものである。
【０１３３】
ただし、図９に示す電文構成において、本発明の実施例２に係わる、各電文に付加する情報データとして決済種別９０５には、課金決済を示すデータが付加される場合がある。
【０１３４】
例えば、利用者が決済手段として課金決済を選択した場合、決済種別９０５には、課金決済を示すデータが付加される。
【０１３５】
ステップＳ１７００では、注文管理サーバ１０１は、ＳＴＢ２００からコンテンツ提供サーバ１００を経由して受信した確認情報電文１００５に付加されている決済種別９０５を判定する。注文管理サーバ１０１は、決済種別９０５を判定しクレジットだった場合は、図１２に示すフローに従い処理を行ない、ステップＳ１２１４へ進む。
【０１３６】
また、注文管理サーバ１０１は、決済種別９０５を判定し課金決済だった場合は、所定の課金処理１７０２を行なう。そして、取引ＮＯ９００、商品番号９０１、単価９０２、数量９０３、決済金額９０４、決済種別９０５、月累計金額９０６を該当する顧客ＩＤ８００に対応させて、課金ＤＢ１０６に記憶させる。
【０１３７】
課金処理１７０２が完了した場合、ステップＳ１２１４へ進む。
【０１３８】
また、ステップＳ１２１４からステップＳ１２２０までの手順は、図１１と同様の手順をなすものである。
【実施例３】
【０１３９】
次に第３実施形態について説明する。
【０１４０】
図１９は、本発明の実施例３に係わるデジタル放送を利用した決済処理システム全体の構成を示す図である。
【０１４１】
図１及び図１７において例示した構成では、オンライン決済サーバ３００ａおよび３００ｂは、従来の決済手段ごとに決済ネットワーク管理会社が管理、運営しており、決済サーバ１０１はこのオンライン決済サーバ３００ａおよび３００ｂに対し、ネットワークを介し接続している。しかし、本発明の実施例３に係わる決済サーバ１０２においては、従来の決済手段ごとに決済ネットワーク管理会社が管理、運営しているオンライン決済サーバ３００ａおよび３００ｂがもつ所定の決済機能を、決済サーバ１０２が備えている。
【０１４２】
それにより、オンライン決済サーバ３００ａ及び３００ｂが従来ネットワークを介し接続していた、クレジットカード会社Ａ、クレジットカード会社Ｂ、銀行Ａ及び銀行Ｂなどの金融機関の管理している決済サーバ処理３０１ａ、決済サーバ処理３０１ｂ、決済処理サーバ３０１ｃ、決済処理サーバ３０１ｄに対し、決済サーバ１０２は直接、ネットワークを介し接続する事ができる。
【０１４３】
また、図１及び図１７に対応する部分には同一の符号をつけて重複する説明を省略する。
【０１４４】
図２０は、従来のオンライン決済サーバ３００ａ及び３００ｂが備える、決済取引先に基づいて複数の決済処理サーバ３０１ａ〜３０１ｄの中から接続先を判別する機能を、決済サーバ１０２が持った場合、本実施例におけるシステムにおいて、どの様な順序で決済処理を行なうかを示すフロー図である。
【０１４５】
また、図１２に対応する部分には同一の符号をつけて重複する説明を省略する。
【０１４６】
以下の説明では、理解を容易とする為、実施例１と同様に、決済処理としてＥＭＶを例として示す。
【０１４７】
まずステップＳ１２０９、及びステップＳ１３００からステップＳ１３０７までの手順は、図１２と同様の手順をなすものである。
【０１４８】
ステップＳ１２１０において、決済サーバ１０２は、決済取引先の種別に基づき、接続先となる金融機関の決済処理サーバを判別する。
【０１４９】
そして、ステップＳ１８００及びステップＳ１８０１では、ＥＭＶの所定の電文項目を用い決済処理サーバ１０２とネットワークを介し通信処理を行ない、ＥＭＶの所定の処理手順で、ステップＳ１８００及びステップＳ１８０１を繰り返す。
【０１５０】
なお、前記ＥＭＶの所定の処理手順として、例えば、ＩＣカードクレジットの標準規格である「ＥＭＶ２０００  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」または、「ＥＭＶ９６  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」に従い、前記仕様に記載のＡＰＤＵで扱われる処理、及び判断を前記決済サーバの有する前記決済処理に備える。
【０１５１】
以上の実施例２、実施例３の説明は、実施例１と同様に、デジタル放送を利用した決済処理システム全体の構成において、図２に例示するように決済処理に用いるＩＣカード２０１を、ＳＴＢ２００に内蔵する構成であっても良いし、図３に例示するように決済処理に用いるＩＣカード２０１を、リモコン２０２に内蔵する構成であっても良い。また、図４に例示するように決済処理に用いるＩＣカード２０１を、携帯端末２０３に内蔵する構成であっても良い。
【０１５２】
さらに、実施例１、実施例２、実施例３において、決済種別としてクレジット決済及び課金決済を用いて説明をしたが、利用者が少額の決済を希望した場合に電子マネー決済を用い決済処理を行ってもよい。
【０１５３】
その場合、決済サーバ１０２は、図２１に示す内部構成を備え、ＩＣカード２０１は、図２２に示すような内部構成を備える。
【０１５４】
図２１において、記憶部７０４は電子マネー決済プログラム１９０１を備える。また、図５に対応する部分には同一の符号をつけて重複する説明を省略する。
【０１５５】
図２２において、記憶部６１１ｂは電子マネー決済プログラム１９０１を備える。また、図２、図３及び図４に示されているＩＣカード２０１の内部構成に対応する部分には同一の符号をつけて重複する説明を省略する。
【０１５６】
電子マネー決済処理では、図１２において、ＩＣカード２０１、ＳＴＢ２００、決済サーバ１０２との間で行なわれる決済処理でのステップＳ１３０４からステップＳ１３０７までの処理手順を用い、図２１に示す電子マネープログラム１９０１が、所定の電子マネー決済手順に従い、ＩＣカード２０１と決済サーバ１０２の内部に備えるＩＣカード２０１ａとの両方のＩＣカードと通信処理を行ないながら電子マネー決済処理を行なう。
【０１５７】
なお、ステップＳ１３０８、及びステップＳ１３０９は、電子マネー決済処理の手順では必要せずとも良い。
【０１５８】
また、実施例１、実施例２、実施例３において、利用者が販売商品を購入する場合の決済方法及び決済手順を説明したが、決済取消処理について説明する。
【０１５９】
デジタル放送を利用した決済処理システム全体の構成を示す図として、実施例１で例示した図１を用いる。また、以下の説明では、理解を容易とする為、決済処理としてＥＭＶを例として示す。
【０１６０】
図２３は注文管理サーバ１０１とＳＴＢ２００との間でやり取りされる電文構成、注文管理サーバ１０１とコンテンツ提供サーバ１００との間でやり取りされる電文構成、及び注文管理サーバ１０１と決済サーバ１０２との間でやり取りされる電文構成の一具体例を示す図である。
【０１６１】
図２３に示すように、かかる電文としては、商品取消電文２０００と、商品情報電文２００３と、取消選択電文２００５と、取消確認電文２００７と、取消情報電文２００９と、取消開始電文２０１１と、取消完了電文２０１３と、取消完了確認電文２０１５とがあり、それぞれ電文識別符号もしくは電文識別符号に情報データを付加した構成をなしている。
【０１６２】
商品取消電文２０００は、ＳＴＢ２００から通信ネットワーク５０１を介し注文管理サーバ１０１に対し利用者が購入取消を希望する事を通知する電文であって、商品取消電文２０００であることを示す電文識別符号２００１に、端末ＩＤ１００２と、顧客ＩＤ８００を付加した構成となっている。
【０１６３】
商品情報電文２００３は、注文管理サーバ１０１がコンテンツ提供サーバに対し、利用者が購入した商品の全決済情報を送信する電文であって、商品情報電文２００３であることを示す電文識別符号２００４に、端末ＩＤ１００２と、顧客ＩＤ８００、取引ＮＯ９００、決済情報２００２を付加した構成となっている。また、決済情報２００２は、例えば、商品番号９０１と、商品の単価９０２と、商品の数量９０３と、購入する商品の合計金額となる決済金額９０４と、利用者が希望する決済種別９０５と含んだデータとする。さらに、商品情報電文２００３は、前記利用者の全決済情報分の取引ＮＯ９００と決済情報２００２を付加する。
【０１６４】
取消選択電文２００５は、ＳＴＢ２００から通信ネットワーク５０１を介し注文管理サーバ１０１に対し利用者が購入取消を希望している商品の決済情報を送る電文であって、取消選択電文２００５であることを示す電文識別符号２００６に、端末ＩＤ１００２と、顧客ＩＤ８００、取引ＮＯ９００、及び決済金額９０４を付加した構成となっている。
【０１６５】
取消確認電文２００７は、注文管理サーバ１０１からコンテンツ提供サーバ１００に対し利用者が購入取消を希望している商品の決済情報を送る電文であって、取消確認電文２００７であることを示す電文識別符号２００８に、端末ＩＤ１００２と、顧客ＩＤ８００、取引ＮＯ９００、及び決済金額９０４を付加した構成となっている。
【０１６６】
取消情報電文２００９は、ＳＴＢ２００から通信ネットワーク５０１を介し注文管理サーバ１０１に対し利用者が購入取消を確認した商品の商品情報を送る電文であって、取消情報電文２００９であることを示す電文識別符号２０１０に、端末ＩＤ１００２と、顧客ＩＤ８００、取引ＮＯ９００、及び決済金額９０４を付加した構成となっている。
【０１６７】
取消開始電文２０１１は、注文管理サーバ１０１から決済サーバ１０２に対し利用者が購入取消の確認をした商品について取消処理の開始を通知する電文であって、取消開始電文２０１１であることを示す電文識別符号２０１２に、端末ＩＤ１００２と、顧客ＩＤ８００、取引ＮＯ９００、及び決済金額９０４を付加した構成となっている。
【０１６８】
取消完了電文２０１３は、決済サーバ１０２から注文管理サーバ１００に対し取消処理の完了を通知する電文であって、取消完了電文２０１３であることを示す電文識別符号２０１４に、端末ＩＤ１００２を付加した構成となっている。
【０１６９】
取消完了確認電文２０１５は、注文管理サーバ１０１からコンテンツ提供サーバ１００に対し取消処理の完了を通知する電文であって、取消完了確認電文２０１５であることを示す電文識別符号２０１６に、端末ＩＤ１００２と、顧客ＩＤ８００、取引ＮＯ９００、及び決済金額９０４を付加した構成となっている。
【０１７０】
なお、取消選択電文２００５、取消確認電文２００７、取消情報電文２００９、取消開始電文２０１１、及び取消完了確認電文２０１５では、端末ＩＤ１００２と、顧客ＩＤ８００、取引ＮＯ９００、及び決済金額９０４の全ての情報データを持つ必要ない。端末ＩＤ１００２、若しくは顧客ＩＤ８００と、取引ＮＯ９００を付加した構成になっていても良いし、また、取引ＮＯ９００のみを付加した構成になっていても良い。
【０１７１】
図２４は、決済サーバ１０２とオンライン決済サーバ３００ａ及び３００ｂ、若しくは金融機関が管理する決済処理サーバ３０１ａ〜３０１ｄとの間でやり取りされる電文構成、及び注文管理サーバ１０１と発注管理サーバ１０３との間でやり取りされる電文構成の一具体例を示す図である。
【０１７２】
図２４に示すように、かかる電文としては、発注取消電文２０１７と、発注取消完了電文２０１９と、注文取消電文２０２１とがあり、電文識別符号に情報データを付加した構成をなしている。
【０１７３】
発注取消電文２０１７は、注文管理サーバ１０１から発注管理サーバ１０３に対し取消処理完了後に発注済み商品の取消処理の開始を通知する電文であって、発注取消電文２０１７であることを示す電文識別符号２０１８に、端末ＩＤ１００２と、顧客ＩＤ８００、取引ＮＯ９００、及び決済金額９０４を付加した構成となっている。
【０１７４】
発注取消完了電文２０１９は、発注管理サーバ１０３から注文管理サーバ１０１に対し発注済み商品の取消処理の完了を通知する電文であって、発注取消完了電文２０１９であることを示す電文識別符号２０２０に、顧客ＩＤ８００を付加した構成となっている。
【０１７５】
注文取消電文２０２１は、決済サーバ１０２からオンライン決済サーバ３００ａ及び３００ｂ、若しくは金融機関が管理する決済処理サーバ３０１ａ〜３０１ｄに対し、決済処理の取消を行なう際に送信する電文であって、注文取消電文２０２１であることを示す電文識別符号２０２２に、端末ＩＤ１００２、取引ＮＯ９００、及び決済金額９０４を付加した構成となっている。
【０１７６】
次に決済取消処理の動作を、図２５を用いて説明する。
【０１７７】
図２５は、利用者がデジタル放送のＴＶショッピング番組からＳＴＢ２００を使用して購入した商品を、前記利用者がＳＴＢ２００を使用して、前記購入商品の取消を行ないたい時に、注文管理サーバ１００がどの様な順序で決済取消処理を行なうかを示すフロー図である。
【０１７８】
なお、利用者がＳＴＢ２００を使用して購入取消を希望する商品を選択後に決済取消処理を中止する場合もあり、図２５に示すフローの途中のステップでも処理を終了する事ができる。しかしこの途中終了については、図示せず、説明も省略する。
【０１７９】
まずステップＳ２１００では、専用ケーブルを介し、コンテンツ提供サーバ１００から各利用者が所持するＳＴＢ２００に対し所定の放送方法を用い、コンテンツを送信する。
【０１８０】
続いてステップＳ２１０１では、利用者が購入の取消を行なう為のコンテンツを、ＴＶなどの所定の表示機器を用い、コンテンツを表示する。本例ではＴＶを所定の表示機器として説明する。
【０１８１】
ステップＳ２１０１で、利用者が、ＳＴＢ２００に備わるキー入力部６０１ａより、キー入力を行ない、コンテンツ内の購入品の取消処理を選択する。
【０１８２】
ステップＳ２１０２では、ＳＴＢ２００が商品取消電文２０００を作成し、データ通信部６１４から注文管理サーバ１０１へ送出する。
【０１８３】
ステップＳ２１０２では、注文管理サーバ１０１が、ＳＴＢ２００からの商品取消電文２０００を受信し、ステップＳ２１０３へ進む。
【０１８４】
ステップＳ２１０３では、注文管理サーバ１０１は、発注ＤＢ１０５より前記商品取消電文２０００に付加されている顧客ＩＤ８００より該当する全取引情報を検索し、該全取引情報が見つかった場合、ステップＳ２１０４へ進む。
【０１８５】
ステップＳ２１０４では、注文管理サーバ１０１が前記全取引情報を決済情報２００２として付加した商品情報電文２００３を作成し、コンテンツ提供サーバ１００へ送出する。ステップＳ２１０４では、コンテンツ提供サーバ１００が、前記商品情報電文２００３を受信した場合、ステップＳ２１０５へ進む。
【０１８６】
ステップＳ２１０５では、コンテンツ提供サーバ１００が、図２６に例示する利用者の購入情報画面を表示する為の所定のコンテンツ情報をＳＴＢ２００に対し送信する。
【０１８７】
ステップＳ２１０５では、ＳＴＢ２００がコンテンツ提供サーバ１００からの前記購入情報画面を表示する為の所定のコンテンツ情報を受信した場合、ステップＳ２１０６へ進む。
【０１８８】
ステップＳ２１０６では、ＳＴＢ２００はこのコンテンツを受信し、図２６に示す購入情報画面をＴＶ画面に表示する。
【０１８９】
ステップＳ２１０６では、利用者が図２６に示す購入情報画面を見て、購入の取消を希望している販売商品を選択する。利用者は選択した商品内容に間違いがない場合、図２６において、ＳＴＢ２００に備わっているキー入力部６０１ａを用い「確定」を選択するとステップＳ２１０７に進む。
【０１９０】
ステップＳ２１０７では、ＳＴＢ２００が取消選択電文２００５を作成し、データ通信部６１４から注文管理サーバ１０１へ送出する。
【０１９１】
ステップＳ２１０７では、注文管理サーバ１０１が、ＳＴＢ２００からの取消選択電文２００５を受信し、ステップＳ２１０８へ進む。
【０１９２】
ステップＳ２１０８では、注文管理サーバ１０１が取消確認電文２００７を作成し、ネットワーク通信部７００からコンテンツ提供サーバ１００へ送出する。取消確認電文２００７に付加する情報データは、取消選択電文２００５と同様のデータを付加する。
【０１９３】
ステップＳ２１０８では、コンテンツ提供サーバ１００が注文管理サーバ１０１からの取消確認電文２００７を受信し、ステップＳ２１０９へ進む。
【０１９４】
ステップＳ２１０９では、コンテンツ提供サーバ１００が、図２７に例示する取消確認画面を表示する為の所定のコンテンツ情報をＳＴＢ２００に対し送信する。
【０１９５】
ステップＳ２１０９では、ＳＴＢ２００がコンテンツ提供サーバ１００からの購入取消確認画面を表示する為の所定のコンテンツ情報を受信した場合、ステップＳ２１１０へ進む。
【０１９６】
ステップＳ２１１０では、ＳＴＢ２００はこのコンテンツを受信し、図２７に示す決済確認画面をＴＶ画面に表示する。
【０１９７】
ステップＳ２１１０では、利用者が図２７に示す取消確認画面を見て、購入取消を希望している商品の内容を確認する。そして、利用者は確認した内容に間違いがない場合、図２７において、ＳＴＢ２００に備わっているキー入力部６０１ａを用い「確認」を選択するとステップＳ２１１１に進む。
【０１９８】
ステップＳ２１１１では、ＳＴＢ２００が取消情報電文２００９を作成し、データ通信部６１４から注文管理サーバ１０１へ送出する。
【０１９９】
ステップＳ２１１１では、注文管理サーバ１０１がＳＴＢ２００からの取消情報電文１００５を受信し、取消処理へ進む。なお、該取引処理は、図１１に例示する決済処理（１）に該当する。以下の説明では、理解を容易とする為、決済処理（１）を取消処理（１）に置きかえて説明する。
【０２００】
前記取消処理（１）は、手順として、注文管理サーバ１０１から決済サーバ１０２に対し、取消開始電文２０１１を送出する事で開始する。その後、ＩＣカード２０１、ＳＴＢ２００、決済サーバ１０２、オンライン決済サーバ３００ａを通じ、取消処理Ｓ２１１４が行われる。また、前記取消処理は、利用者が商品購入時に行なった各種決済種別に応じた、所定の取消処理に従い実行する。
【０２０１】
そして取消処理Ｓ２１１４が完了後、注文管理サーバ１０１が決済サーバ１０２から取消完了電文２０１３を受信する事で、取消処理（１）が終了する。そして、取消処理（１）が終了するとステップＳ２１１８へ進む。
【０２０２】
ステップＳ２１１８では、注文管理サーバ１０１が取消完了確認電文２０１３を作成し、ネットワーク通信部７００からコンテンツ提供サーバ１００へ送出する。
【０２０３】
ステップＳ２１１８では、コンテンツ提供サーバ１００が注文管理サーバ１０１からの取消完了確認電文２０１３を受信し、ステップＳ２１１９へ進む。
【０２０４】
ステップＳ２１１９では、コンテンツ提供サーバ１００が、図２８に例示する購入取消完了画面を表示する為の所定のコンテンツ情報をＳＴＢ２００に対し送信する。
【０２０５】
ステップＳ２１１９では、ＳＴＢ２００がコンテンツ提供サーバ１００からの購入取消完了画面を表示する為の所定のコンテンツ情報を受信した場合、ステップＳ２１２０へ進む。
【０２０６】
ステップＳ２１２０では、ＳＴＢ２００はこのコンテンツを受信し、図２８に示す購入取消完了画面をＴＶ画面に表示する。その後、ステップＳ２１２１へ進む。
【０２０７】
ステップＳ２１２１では、注文管理サーバ１０１が発注取消電文２０１７を作成し、ネットワーク通信部７００から発注管理サーバ１０３へ送出する。
【０２０８】
ステップＳ２１２１では、発注管理サーバ１０３が注文管理サーバ１０１からの発注取消電文２０１７を受信し、ステップＳ２１２２へ進む。
【０２０９】
ステップＳ２１２２では、発注管理サーバ１０３がネットワーク通信部７００を介し、利用者が購入を希望している商品を販売している販売会社が管理する受注サーバ４００ａに対し、所定の発注取消処理を行なう。
【０２１０】
また、発注取消処理として、発注管理サーバ１０３はネットワーク通信部７００を介し、ＴＶショッピングのコンテンツを作成、提供しているコンテンツ提供会社が管理している受注サーバ４００ｂに対し所定の発注取消処理を行ない、その後コンテンツ提供会社が、利用者が購入を希望している商品を販売している販売会社が管理する受注サーバ４００ａに対し所定の発注取消処理を行なう方法でもよい。
【０２１１】
ステップＳ２１２２では、発注管理サーバ１０３が発注取消処理を完了するとステップＳ２１２３へ進む。
【０２１２】
ステップＳ２１２３では、発注管理サーバ１０３が発注取消完了電文２０１９を作成し、ネットワーク通信部７００から注文管理サーバ１０１へ送出する。
【０２１３】
ステップＳ２１２３では、注文管理サーバ１０１が発注管理サーバ１０３からの発注取消完了電文２０１９を受信し、ステップＳ２１２４へ進む。
【０２１４】
ステップＳ２１２４では、注文管理サーバが、発注取消処理の完了した発注情報の取引ＮＯ９００、商品番号９０１、単価９０２、数量９０３、決済金額９０４、決済種別９０５、月累計金額９０６を該当する顧客ＩＤ８００の発注リストより削除する。
【０２１５】
なお、前記取消処理として、例えば、ＩＣカードクレジットの標準規格である「ＥＭＶ２０００  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」または、「ＥＭＶ９６  Ｉｎｔｅｇｒａｔｅｄ  Ｃｉｒｃｕｉｔ  Ｃａｒｄ  Ｓｐｅｃｉｆｉｃａｔｉｏｎ  ｆｏｒ  Ｐａｙｍｅｎｔ  Ｓｙｓｔｅｍｓ」に従い、前記仕様に記載のＡＰＤＵで扱われる処理、及び判断を、前記決済サーバの有する前記決済処理に機能として備える。
【０２１６】
以上の決済取消処理の説明では、実施例１と同様に、デジタル放送を利用した決済処理システム全体の構成において、図２に例示するように決済処理に用いるＩＣカード２０１を、ＳＴＢ２００に内蔵する構成であっても良いし、図３に例示するように決済処理に用いるＩＣカード２０１を、リモコン２０２に内蔵する構成であっても良い。また、図４に例示するように決済処理に用いるＩＣカード２０１を、携帯端末２０３に内蔵する構成であっても良い。
【０２１７】
さらにまた、実施例１、実施例２、実施例３において、図１１に例示するようにステップＳ１２０１でＳＴＢ２００は、コンテンツ提供サーバ１００からのコンテンツを受信し、ＴＶなどの所定の表示機器を用いて商品販売のコンテンツを表示する。しかし、この時に、ＳＴＢ２００は、図２に示す個人情報６１２を記憶する記憶部６１１ａを備えるＩＣカード２０１より、ＩＣカードとの通信処理を行ない、個人情報６１２を取得し、該個人情報６１２に含まれる年齢データを用い、利用者の年齢層に合わせた商品販売のコンテンツを選択し、該コンテンツをＴＶなどの所定の表示機器に表示しても良い。また、ＳＴＢ２００は、個人情報に含まれる住所データを用い、利用者の住んでいる地域毎に違った商品販売のコンテンツを選択し、ＴＶなどの所定の表示機器に表示しても良い。
【０２１８】
以上のように、年齢データや住所データの他にも、ＩＣカード２０１の記憶部６１１ａに格納されている個人情報６１２に基づいて、コンテンツ提供サーバ１００より送信されてくるコンテンツの内容を、ＳＴＢ２００が判定し、該コンテンツ内容をＴＶなどの所定の表示機器に表示しても良い。
【０２１９】
また、販売個数限定の商品の販売時には、注文管理サーバ１０１が時計モジュールを内蔵し、決済処理開始時に購入を希望する利用者毎に、日付、及び／若しくは時刻を取得し、該日付情報、及び／若しくは時刻情報に基づき、商品販売する利用者を判定しても良い。例えば、時刻の早い順に購入可能な利用者を判定していく。また、コンテンツ提供会社、若しくはＣＡＴＶ会社などの放送局が指定した時間帯で決済を行った利用者には、決済に付帯するポイントを通常の２倍で付加するなどの通常と特化した役務を提供しても良い。
【０２２０】
さらにまた、実施例１、実施例２、実施例３において、利用者が購入する商品の決済種別は、ＴＶなど所定の表示機器の画面より利用者に選択させる方法で説明を行なったが、利用者が購入を希望する販売商品の決済金額に応じて、ＳＴＢ２００が自動で決済種別を決定し、ＴＶなど所定の表示機器の画面より利用者には了承を得る確認だけを行なっても良い。
【０２２１】
さらにまた、実施例１、実施例２、実施例３において、ＳＴＢ２００、及び注文管理サーバ１０１間で、図９に示した商品選択電文１０００、及び確認情報電文１００５を用いる場合、前記各電文に付加する情報データとして商品番号９０１、単価９０２、数量９０３、及び決済金額９０４を用いているが、前記各電文に情報データとして商品番号９０１のみを付加して、注文管理サーバ１０１が、商品番号９０１、単価９０２、数量９０３、及び決済金額９０４などの商品情報をＤＢとして備えても良い。その際に前記商品情報を用いる場合には、注文管理サーバ１０１は、前記各電文に付加する前記商品番号９０１より対応する前記商品情報を検索して用いても良い。
【０２２２】
さらにまた、実施例１、実施例２、実施例３において、図９に示した決済開始電文１００７を用いる場合、前記電文に付加する情報データとして商品番号９０１、単価９０２、数量９０３、及び決済金額９０４を用いているが、決済金額９０４のみであっても良い。
【図面の簡単な説明】
【０２２３】
【図１】本発明の実施例１に係わるデジタル放送を利用した決済処理システム全体の構成を示す図である。
【図２】本実施形態におけるＳＴＢ２００とＩＣカード２０１のみ利用した場合のそれぞれの内部構成を示した図である。
【図３】本実施形態におけるＳＴＢ２００とＩＣカード２０１とＳＴＢを操作する為に用いるリモコン２０２を利用した場合のそれぞれの内部構成を示した図である。
【図４】本実施形態におけるＳＴＢ２００とＩＣカード２０１と利用者が所持する携帯端末２０３を利用した場合のそれぞれの内部構成を示した図である。
【図５】本実施形態における決済サーバ１０２の内部構成を示した図である。
【図６】本実施形態における注文管理サーバ１０１の内部構成を示した図である。
【図７】ＣＡＴＶを利用するためＣＡＴＶ会社と契約している利用者を顧客情報として管理している顧客ＤＢの例を示す図である。
【図８】利用者からの注文商品の発注処理が完了した注文商品等を発注情報として管理しておく発注ＤＢの例を示す図である。
【図９】注文管理サーバ１０１とＳＴＢ２００との間でやり取りされる電文構成、注文管理サーバ１０１とコンテンツ提供サーバ１００との間でやり取りされる電文構成、及び注文管理サーバ１０１と決済サーバ１０２との間でやり取りされる電文構成の一具体例を示す図である。
【図１０】決済サーバ１０２とＳＴＢ２００との間でやり取りされる電文構成の一具体例を示す図である。
【図１１】利用者がデジタル放送のＴＶショッピング番組からＳＴＢ２００を使用して購入希望の商品を選択し、注文管理サーバ１００がどの様な順序で決済処理を行なうかを示すフロー図である。
【図１２】ＩＣカード２０１、ＳＴＢ２００、決済サーバ１０２及びオンライン決済サーバ３００ａとの間で行なわれる決済処理１２１０の処理手順を示すフロー図である。
【図１３】利用者が購入を希望する販売商品の購入希望数量、決済種別を決める選択画面の一具体例を示す図である。
【図１４】利用者が購入を希望する販売商品の購入内容を確認する決済確認画面の一具体例を示す図である。
【図１５】利用者が購入を希望する販売商品の決済処理完了を通知する決済完了画面の一具体例を示す図である。
【図１６】リモコン２０２若しくは携帯端末２０３と、ＩＣカード２０１、ＳＴＢ２００、決済サーバ１０２及びオンライン決済サーバ３００ａとの間で行なわれる決済処理１２１０の処理手順を示すフロー図である。
【図１７】本発明の実施例２に係わるデジタル放送を利用した決済処理システム全体の構成を示す図である。
【図１８】利用者がデジタル放送のＴＶショッピング番組からＳＴＢ２００を使用して購入希望の商品を選択した場合、従来の課金処理も考慮し、注文管理サーバ１００がどの様な順序で決済処理を行なうかを示すフロー図である。
【図１９】本発明の実施例３に係わるデジタル放送を利用した決済処理システム全体の構成を示す図である。
【図２０】オンライン決済サーバ３００ａ及び３００ｂが持つ金融機関の決済処理サーバに適切に接続する機能を、決済サーバ１０２が持った場合、本実施例におけるシステムにおいて、どの様な順序で決済処理を行なうかを示すフロー図である。
【図２１】決済手段に電子マネー決済を用いた場合における決済サーバ１０２の内部構成を示した図である。
【図２２】決済手段に電子マネー決済を用いた場合におけるＩＣカード２０１の内部構成を示した図である。
【図２３】注文管理サーバ１０１とＳＴＢ２００との間でやり取りされる電文構成、注文管理サーバ１０１とコンテンツ提供サーバ１００との間でやり取りされる電文構成、及び注文管理サーバ１０１と決済サーバ１０２との間でやり取りされる電文構成の一具体例を示す図である。
【図２４】決済サーバ１０２とオンライン決済サーバ３００ａ及び３００ｂ、若しくは金融機関が管理する決済処理サーバ３０１ａ〜３０１ｄとの間でやり取りされる電文構成、及び注文管理サーバ１０１と発注管理サーバ１０３との間でやり取りされる電文構成の一具体例を示す図である。
【図２５】利用者がデジタル放送のＴＶショッピング番組からＳＴＢ２００を使用して購入した商品を、前記利用者がＳＴＢ２００を使用して、前記購入商品の取消を行ないたい時に、本実施例におけるシステムにおいて、どの様な順序で決済取消処理を行なうかを示すフロー図である。
【図２６】利用者が購入した商品の購入取消を希望している販売商品を選択する為の購入情報画面の一具体例を示す図である。
【図２７】利用者が希望する購入取消の内容を確認する取消確認画面の一具体例を示す図である。
【図２８】利用者が希望する購入取消の取消処理完了を通知する取消完了画面の一具体例を示す図である。
【符号の説明】
【０２２４】
１００  コンテンツ提供サーバ
１０１  注文管理サーバ
１０２  決済サーバ
１０３  発注管理サーバ
１０４  顧客ＤＢ
１０５  発注ＤＢ
２００  セットトップボックス
２０１  ＩＣカード
２０２  リモコン
２０３  携帯端末
３００ａ  オンライン決済サーバ
３０１ａ  決済処理サーバ
４００ａ  受注サーバ
５００  専用ケーブル
５０１  通信ネットワーク  
【図１】
2005148780.tif 000003
【図２】
2005148780.tif 000004
【図３】
2005148780.tif 000005
【図４】
2005148780.tif 000006
【図５】
2005148780.tif 000007
【図６】
2005148780.tif 000008
【図７】
2005148780.tif 000009
【図８】
2005148780.tif 000010
【図９】
2005148780.tif 000011
【図１０】
2005148780.tif 000012
【図１１】
2005148780.tif 000013
【図１２】
2005148780.tif 000014
【図１３】
2005148780.tif 000015
【図１４】
2005148780.tif 000016
【図１５】
2005148780.tif 000017
【図１６】
2005148780.tif 000018
【図１７】
2005148780.tif 000019
【図１８】
2005148780.tif 000020
【図１９】
2005148780.tif 000021
【図２０】
2005148780.tif 000022
【図２１】
2005148780.tif 000023
【図２２】
2005148780.tif 000024
【図２３】
2005148780.tif 000025
【図２４】
2005148780.tif 000026
【図２５】
2005148780.tif 000027
【図２６】
2005148780.tif 000028
【図２７】
2005148780.tif 000029
【図２８】
2005148780.tif 000030